(57)【要約】【課題】衣服に付着したハザード物質を、衣服の内側に侵入させることなく失活化できる失活化装置を提供すること。【解決手段】失活化装置１は、無塵衣１０に付着したハザード物質を失活化する。この失活化装置１は、無塵衣１０を着用した作業者Ａが収容されるシャワー室２０と、このシャワー室２０の内部に設けられて圧縮空気と水とを混合して水ミストを噴霧するミストノズル２１と、を備える。ミストノズル２１から水ミストを噴霧して、この水ミストで無塵衣１０の全体を包み込むことで、水ミストが無塵衣１０に浸み込むことなく無塵衣１０の表面を一様に湿らせて、無塵衣１０の表面に付着したハザード物質を失活させる。【選択図】図１
2015028405.tif 000002
【特許請求の範囲】
【請求項１】
衣服に付着したハザード物質を失活化する失活化装置であって、
衣服の着用者が収容される室と、
当該室の内部に設けられて、圧縮空気と水とを混合して水ミストを噴霧するノズルと、を備え、
当該ノズルから水ミストを噴霧して、当該水ミストで前記衣服の全体を包み込むことで、当該水ミストで前記衣服の表面を一様に湿らせて、当該衣服の表面に付着したハザード物質を失活させることを特徴とする失活化装置。
【請求項２】
前記室の内部には、押下されることにより前記ノズルから水ミストを噴霧するスイッチが設けられることを特徴とする請求項１に記載の失活化装置。
【請求項３】
前記ノズルは、二流体ノズルであることを特徴とする請求項１または２に記載の失活化装置。
【請求項４】
前記ノズルに対する水の供給圧力を一定とし、圧縮空気を供給することで、水ミストを噴霧することを特徴とする請求項１から３のいずれかに記載の失活化装置。
【請求項５】
前記ノズルに対する水の供給圧力は、０．１ＭＰａ以上０．５ＭＰａ以下であり、
前記ノズルに対する圧縮空気の供給圧力は、０．１５ＭＰａ以上０．５５ＭＰａ以下であることを特徴とする請求項１から４のいずれかに記載の失活化装置。
【請求項６】
水ミストの液滴径は、１０μｍ以上５００μｍ以下であることを特徴とする請求項１から５のいずれかに記載の失活化装置。
【発明の詳細な説明】
【技術分野】
【０００１】
本発明は、衣服に付着したハザード物質を失活化する失活化装置に関する。
【背景技術】
【０００２】
従来より、化学製品や薬品などの製造工場などでは、人体に有害な化学物質であるハザード物質を使用したり、製品の製造工程でハザード物質を生成したりする工程がある。この場合、作業者は、ハザード物質との直接接触の機会を最小限に抑えるために、無塵衣を着用している。
【０００３】
ここで、無塵衣とは、塵埃が発生しにくい繊維を、塵埃の透過を防止するために目が細かく織りこんだ生地で製造された衣服である。
そして、ハザード物質を扱う製造室から退出する際、作業者は、ハンドシャワーが設けられたシャワー室に入室し、このハンドシャワーの水流で無塵衣を濡らすことで、付着したハザード物質の活性を失わせる失活化を行う（例えば、特許文献１参照）。
【先行技術文献】
【特許文献】
【０００４】
【特許文献１】特開２００９−２４９０７号公報
【発明の概要】
【発明が解決しようとする課題】
【０００５】
しかしながら、ハンドシャワーで無塵衣を濡らした場合、無塵衣の縫合部分や着脱衣の際に必要となるファスナー部などの隙間から、無塵衣の内側に水とともにハザード物質が流入し、作業者の皮膚に付着するおそれがあった。
したがって、作業者は、シャワー室にて、失活後の衣服を脱衣して、全身を完全に拭き取る作業を行っていた。その結果、ハザード物質の失活化作業に手間がかかってしまい、作業効率が低下するという問題があった。
【０００６】
本発明は、衣服に付着したハザード物質を、衣服の内側に侵入させることなく失活化できる失活化装置を提供することを目的とする。
【課題を解決するための手段】
【０００７】
請求項１に記載の失活化装置は、衣服（例えば、後述の無塵衣１０）に付着したハザード物質を失活化する失活化装置（例えば、後述の失活化装置１）であって、衣服の着用者（例えば、後述の作業者Ａ）が収容される室（例えば、後述のシャワー室２０）と、当該室の内部に設けられて、圧縮空気と水とを混合して水ミストを噴霧するノズル（例えば、後述のミストノズル２１）と、を備え、当該ノズルから水ミストを噴霧して、当該水ミストで前記衣服の全体を包み込むことで、当該水ミストが前記衣服に浸み込むことなく前記衣服の表面を一様に湿らせて、当該衣服の表面に付着したハザード物質を失活させることを特徴とする。
【０００８】
本発明において、失活化とは、ハザード物質の化学変化による物性の変化、ハザード物質の水洗、および、微粉体状のハザード物質を水で湿化することによる飛散防止など、作業者が無塵衣を脱衣する際に、ハザード物質が経口や皮膚への付着を防止できる状態を含む。
【０００９】
この発明によれば、ノズルから水ミストを噴霧して、水ミストで衣服の全体を包み込むことで、水ミストで衣服の表面を一様に湿らせて、衣服の表面に付着したハザード物質を失活させる。
このように、水ミストにより衣服の表面を一様に湿らせたので、衣服に付着したハザード物質を失活化できる。また、水ミストは、ハンドシャワーの水流に比べて水滴の粒径が小さく水量も少ないので、この水ミストで衣服の表面を湿らせても、従来のように衣服に付着したハザード物質が水と共に衣服の内側に浸み込むことはない。
したがって、ハザード物質を扱う室から退出する際に、ハザード物質の失活化作業を迅速に実行できるので、作業効率が低下するのを防止できる。
【００１０】
請求項２に記載の失活化装置は、前記室の内部には、押下されることにより前記ノズルから水ミストを噴霧するスイッチ（例えば、後述のスイッチ５３）が設けられることを特徴とする。
【００１１】
この発明によれば、スイッチを押下するだけで、ノズルから水ミストが噴霧されるので、衣服に付着したハザード物質を容易に失活化できる。
【００１２】
請求項３に記載の失活化装置は、前記ノズルは、二流体ノズルであることを特徴とする。
【００１３】
この発明によれば、ノズルとして、二流体ノズルを用いた。この二流体ノズルは、微細な液滴を広範囲で発生させるため、水ミストの発生ノズルに適しており、水ミストで衣服の全体を包み込んで、衣服の表面を一様に湿らせることができる。
【００１４】
請求項４に記載の失活化装置は、前記ノズルに対する水の供給圧力を一定とし、圧縮空気を供給することで、水ミストを噴霧することを特徴とする。
【００１５】
二流体ノズルでは、所望の噴霧形状を瞬時に発生させることは難しいという問題がある。所望の噴霧形状を瞬時に形成できない場合、作業者に大きな液滴がかかり、無塵衣の内部まで濡らすことになる。しかしながら、この発明によれば、ノズルに対する水の供給圧力を常時一定とし、圧縮空気の供給により水ミストを噴霧したので、所望の噴霧形状を瞬時に発生させることができる。
【００１６】
請求項５に記載の失活化装置は、前記ノズルに対する水の供給圧力は、０．１ＭＰａ以上０．５ＭＰａ以下であり、前記ノズルに対する圧縮空気の供給圧力は、０．１５ＭＰａ以上０．５５ＭＰａ以下であることを特徴とする。
【００１７】
この発明によれば、水が衣服の内部まで浸みこむことなく、水ミストが作業者の全身を覆う噴霧形状を形成できる。水の供給圧力が０．１ＭＰａ未満である場合、噴霧形状の幅が小さくなって全身を覆うことができず、水の供給圧力が０．５ＭＰａを超えると、水の供給量が多くなって衣服の内部まで水が浸みこんでしまう。
なお、より好ましくは、ノズルに対する水の供給圧力は、０．１５以上０．２５ＭＰａ以下、ノズルに対する圧縮空気の供給圧力は、０．２以上０．３ＭＰａ以下である。
【００１８】
請求項６に記載の失活化装置は、水ミストの液滴径は、１０μｍ以上５００μｍ以下であることを特徴とする。
【００１９】
この発明によれば、水が衣服の内部まで浸みこむことなく、水ミストが作業者の全身を覆う噴霧形状を形成できる。水ミストの滴径が１０μｍ未満であると、噴霧形状が広がらず、水ミストの液滴径が５００μｍを超えると、衣服の内部まで水が浸みこんでしまう。
なお、より好ましくは、水ミストの液滴径は、３０μｍ以上３００μｍ以下である。
【００２０】
また、水ミストの噴霧形状としてはコーン状が好ましく、水ミストの噴霧角としては３０°以上６０°以下が好ましい。
【００２１】
このようにすれば、作業者の全身を覆いつつ、十分な量の水ミストを噴霧できる。噴霧角が３０°未満であると作業者の全身を覆うことができず、噴霧角が６０°より大きいとコーン内部の水ミストの量が少なくなってしまう。
【００２２】
また、水ミストの噴霧時間は、ハザード物質の失活の容易さによって増減でき、完全に失活あるいは除去する場合には、１分以上１０分以下の噴霧が好ましく、飛散防止による失活する場合には、０．５分以上２分以下の噴霧が好ましい。
【発明の効果】
【００２３】
本発明によれば、ノズルから水ミストを噴霧して、水ミストで衣服の全体を包み込むことで、水ミストで衣服の表面を一様に湿らせて、衣服の表面に付着したハザード物質を失活させる。このように、水ミストにより衣服の表面を一様に湿らせたので、衣服に付着したハザード物質を失活化できる。また、水ミストは、ハンドシャワーの水流に比べて水滴の粒径が小さく水量も少ないので、この水ミストで衣服の表面を湿らせても、従来のように衣服に付着したハザード物質が水と共に衣服の内側に浸み込むことはない。したがって、ハザード物質を扱う室から退出する際に、ハザード物質の失活化作業を迅速に実行できるので、作業効率が低下するのを防止できる。
【図面の簡単な説明】
【００２４】
【図１】本発明の一実施形態に係る失活化装置の模式図である。
【発明を実施するための形態】
【００２５】
以下、本発明の一実施形態について、図面を参照しながら説明する。
図１は、本発明の一実施形態に係る失活化装置の構成を示す模式図である。
【００２６】
失活化装置１は、作業者Ａの無塵衣１０に付着したハザード物質を失活化する装置である。
この失活化装置１は、無塵衣１０を着用した作業者Ａが収容されるシャワー室２０と、このシャワー室２０の内部の天井面２０Ａに設けられたミストノズル２１と、シャワー室２０の内部の壁面２０Ｂに掛けられたシャワーヘッド２２と、シャワー室２０の床面２０Ｃに設けられた排水ドレン２３と、ミストノズル２１に圧縮空気および水を供給するとともに、シャワーヘッド２２に水を供給する供給装置３０と、を備える。
【００２７】
ミストノズル２１は、二流体ノズルであり、供給装置３０から圧縮空気および水が供給されると、これら圧縮空気と水とを混合して、水ミストを下方に向かって噴霧する。このミストノズル２１は、水および／または圧縮空気の供給圧力を変えることで噴霧流量や液滴径を調整できるようになっている。
排水ドレン２３は、シャワー室２０の床面２０Ｃに溜まった水を排水するものである。
【００２８】
供給装置３０は、ミストノズル２１およびシャワーヘッド２２に水を送る給水管４０と、ミストノズル２１に圧縮空気を送る給気管５０と、を備える。
【００２９】
給水管４０は、分岐点で２つの分岐管４０Ａ、４０Ｂに分岐しており、一方の分岐管４０Ａは、ミストノズル２１に接続され、他方の分岐管４０Ｂは、シャワーヘッド２２に接続されている。
給水管４０の分岐点よりも上流側には、給水管４０を開閉する２つのバルブ４１、４２が設けられている。また、分岐管４０Ｂには、分岐管４０Ｂを開閉するバルブ４３が設けられている。ミストノズル２１に対する給水管４０の水の供給圧力は、０．１ＭＰａ以上０．５ＭＰａ以下となっている。
【００３０】
給気管５０には、この給気管５０を開閉する電磁弁５１と、給気管５０内を減圧する減圧弁５２と、が設けられている。ミストノズル２１に対する圧縮空気の供給圧力は、０．１５ＭＰａ以上０．５５ＭＰａ以下となっている。
シャワー室２０の壁面２０Ｂには、この電磁弁５１を制御するスイッチ５３が設けられている。このスイッチ５３は、押下されると電磁弁５１を開放する。
【００３１】
以上の失活化装置１では、ミストノズル２１に常時一定の供給圧力で水が供給されている。この状態でスイッチ５３が押下されると、電磁弁５１が開放されて、給気管５０からミストノズル２１に圧縮空気が供給される。すると、ミストノズル２１では、圧縮空気と水とを混合して、図１中の二点鎖線Ｍで示す範囲で水ミストを噴霧する。
【００３２】
このとき、ミストノズル２１から噴霧される水ミストの液滴径は、１０μｍ以上５００μｍ以下となっている。また、ミストノズル２１から噴霧される水ミストの噴霧形状はコーン状であり、水ミストの噴霧角は３０°以上６０°以下である。
【００３３】
その後、スイッチ５３が再度押下されると、電磁弁５１が閉鎖されて、給気管５０からミストノズル２１に圧縮空気の供給が停止し、ミストノズル２１からの水ミストの噴霧が停止する。
【００３４】
失活化装置１の使用方法は、以下のようになる。
ハザード物質が無塵衣１０に付着した状態で、作業者Ａがシャワー室２０に入室する。
次に、作業者Ａは、スイッチ５３を押下する。すると、ミストノズル２１から水ミストが噴霧され、水ミストで無塵衣１０の全体を包み込むことで、水ミストが無塵衣１０に浸み込むことなく無塵衣１０の表面を一様に湿らせて、無塵衣１０の表面に付着したハザード物質を失活させる。
その後、作業者Ａは、無塵衣１０を脱衣し、シャワー室２０から退出する。
【００３５】
本実施形態によれば、以下のような効果がある。
（１）水ミストにより無塵衣１０の表面を一様に湿らせたので、無塵衣１０に付着したハザード物質を失活化できる。また、水ミストは、ハンドシャワーの水流に比べて水滴の粒径が小さく水量も少ないので、この水ミストで無塵衣１０の表面を湿らせても、従来のように無塵衣１０に付着したハザード物質が水と共に無塵衣１０の内側に浸み込むことはない。したがって、ハザード物質を扱う室から退出する際に、ハザード物質の失活化作業を迅速に実行できるので、作業効率が低下するのを防止できる。
【００３６】
（２）スイッチ５３を押下するだけで、ミストノズル２１から水ミストが噴霧されるので、無塵衣１０に付着したハザード物質を容易に失活化できる。
【００３７】
（３）ミストノズル２１を二流体ノズルとしたので、水ミストで無塵衣１０の全体を包み込んで、無塵衣１０の表面を一様に湿らせることができる。
【００３８】
（４）ミストノズル２１に対する水の供給圧力を常時一定とし、圧縮空気を供給することで水ミストを噴霧したので、所望の噴霧形状を瞬時に発生させることができる。
【００３９】
（５）ミストノズル２１に対する水の供給圧力を、０．１ＭＰａ以上０．５ＭＰａ以下とし、ミストノズル２１に対する圧縮空気の供給圧力を、０．１５ＭＰａ以上０．５５ＭＰａ以下とした。よって、水が無塵衣１０の内部まで浸みこむことなく、水ミストが作業者Ａの全身を覆う噴霧形状を形成できる。
【００４０】
（６）水ミストの液滴径を、１０μｍ以上５００μｍ以下としたので、水が無塵衣１０の内部まで浸みこむことなく、水ミストが作業者Ａの全身を覆う噴霧形状を形成できる。
【００４１】
（７）水ミストの噴霧形状をコーン状とし、水ミストの噴霧角を３０°以上６０°以下としたので、作業者Ａの全身を覆いつつ、十分な量の水ミストを噴霧できる。
【００４２】
なお、本発明は前記実施形態に限定されるものではなく、本発明の目的を達成できる範囲での変形、改良等は本発明に含まれるものである。
【符号の説明】
【００４３】
Ａ…作業者
１…失活化装置
１０…無塵衣（衣服）
２０…シャワー室（室）
２０Ａ…天井面
２０Ｂ…壁面
２０Ｃ…床面
２１…ミストノズル（ノズル）
２２…シャワーヘッド
２３…排水ドレン
３０…供給装置
４０…給水管
４０Ａ、４０Ｂ…分岐管
４１、４２、４３…バルブ
５０…給気管
５１…電磁弁
５２…減圧弁
５３…スイッチ
【図１】
2015028405.tif 000003
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
衣服に付着したハザード物質を水で湿化することにより飛散防止する飛散防止装置であって、
衣服の着用者が収容される室と、
当該室の内部に設けられて、圧縮空気と水とを混合して水ミストを噴霧するノズルと、を備え、
当該ノズルから水ミストを噴霧して、当該水ミストで前記衣服の全体を包み込むことで、当該水ミストで前記衣服の表面を一様に湿らせて、当該衣服の表面に付着したハザード物質を水で湿化することにより飛散防止することを特徴とする飛散防止装置。
【請求項２】
水ミストの液滴径は、１０μｍ以上５００μｍ以下であることを特徴とする請求項１に記載の飛散防止装置。
【請求項３】
前記ノズルに対する水の供給圧力は、０．１ＭＰａ以上０．５ＭＰａ以下であり、
前記ノズルに対する圧縮空気の供給圧力は、０．１５ＭＰａ以上０．５５ＭＰａ以下であることを特徴とする請求項１または２に記載の飛散防止装置。
【請求項４】
前記ノズルに対する水の供給圧力を一定とし、圧縮空気を供給することで、水ミストを噴霧することを特徴とする請求項１から３のいずれかに記載の飛散防止装置。
【請求項５】
前記ノズルは、二流体ノズルであることを特徴とする請求項１から４のいずれかに記載の飛散防止装置。
【請求項６】
水ミストの噴霧形状が、コーン状であることを特徴とする請求項１から５のいずれかに記載の飛散防止装置。
【請求項７】
前記室の内部には、押下されることにより前記ノズルから水ミストを噴霧するスイッチが設けられることを特徴とする請求項１から６のいずれかに記載の飛散防止装置。
【請求項８】
水ミストを、水滴の平均粒子径１０μｍ以上５００μｍ以下でかつ衣服の着用者の全体を包み込む形状で噴霧することにより、衣服に付着したハザード物質を水で湿化して飛散防止することを特徴とする飛散防止方法。
【請求項９】
前記ノズルに対する水の供給圧力は、０．１ＭＰａ以上０．５ＭＰａ以下であり、
前記ノズルに対する圧縮空気の供給圧力は、０．１５ＭＰａ以上０．５５ＭＰａ以下であることを特徴とする請求項８に記載の飛散防止方法。
【請求項１０】
前記ノズルに対する水の供給圧力を一定とし、圧縮空気を供給することで、水ミストを噴霧することを特徴とする請求項８または９に記載の飛散防止方法。
【請求項１１】
前記ノズルは、二流体ノズルであることを特徴とする請求項８から１０のいずれかに記載の飛散防止方法。
【請求項１２】
水ミストの噴霧形状が、コーン状であることを特徴とする請求項８から１１のいずれかに記載の飛散防止方法。
【請求項１３】
前記室の内部には、押下されることにより前記ノズルから水ミストを噴霧するスイッチが設けられることを特徴とする請求項８から１２のいずれかに記載の飛散防止方法。
【手続補正３】
【補正対象書類名】明細書
【補正対象項目名】０００１
【補正方法】変更
【補正の内容】
【０００１】
本発明は、衣服に付着したハザード物質を水で湿化することにより飛散防止する飛散防止装置および飛散防止方法に関する。
【手続補正４】
【補正対象書類名】明細書
【補正対象項目名】０００６
【補正方法】変更
【補正の内容】
【０００６】
本発明は、衣服に付着したハザード物質を、衣服の内側に侵入させることなく失活化できる飛散防止装置および飛散防止方法を提供することを目的とする。
【手続補正５】
【補正対象書類名】明細書
【補正対象項目名】０００７
【補正方法】変更
【補正の内容】
【０００７】
請求項１に記載の飛散防止装置は、衣服（例えば、後述の無塵衣１０）に付着したハザード物質を水で湿化することにより飛散防止する飛散防止装置（例えば、後述の失活化装置１）であって、衣服の着用者（例えば、後述の作業者Ａ）が収容される室（例えば、後述のシャワー室２０）と、当該室の内部に設けられて、圧縮空気と水とを混合して水ミストを噴霧するノズル（例えば、後述のミストノズル２１）と、を備え、当該ノズルから水ミストを噴霧して、当該水ミストで前記衣服の全体を包み込むことで、当該水ミストが前記衣服に浸み込むことなく前記衣服の表面を一様に湿らせて、当該衣服の表面に付着したハザード物質を水で湿化することにより飛散防止することを特徴とする。
【手続補正６】
【補正対象書類名】明細書
【補正対象項目名】００１０
【補正方法】変更
【補正の内容】
【００１０】
請求項７に記載の飛散防止装置は、前記室の内部には、押下されることにより前記ノズルから水ミストを噴霧するスイッチ（例えば、後述のスイッチ５３）が設けられることを特徴とする。
【手続補正７】
【補正対象書類名】明細書
【補正対象項目名】００１２
【補正方法】変更
【補正の内容】
【００１２】
請求項５に記載の飛散防止装置は、前記ノズルは、二流体ノズルであることを特徴とする。
【手続補正８】
【補正対象書類名】明細書
【補正対象項目名】００１４
【補正方法】変更
【補正の内容】
【００１４】
請求項４に記載の飛散防止装置は、前記ノズルに対する水の供給圧力を一定とし、圧縮空気を供給することで、水ミストを噴霧することを特徴とする。
【手続補正９】
【補正対象書類名】明細書
【補正対象項目名】００１６
【補正方法】変更
【補正の内容】
【００１６】
請求項３に記載の飛散防止装置は、前記ノズルに対する水の供給圧力は、０．１ＭＰａ以上０．５ＭＰａ以下であり、前記ノズルに対する圧縮空気の供給圧力は、０．１５ＭＰａ以上０．５５ＭＰａ以下であることを特徴とする。
【手続補正１０】
【補正対象書類名】明細書
【補正対象項目名】００１８
【補正方法】変更
【補正の内容】
【００１８】
請求項２に記載の飛散防止装置は、水ミストの液滴径は、１０μｍ以上５００μｍ以下であることを特徴とする。